【手続補正書】
【提出日】平成30年5月28日(2018.5.28)
【手続補正１】
【補正対象書類名】特許請求の範囲
【補正対象項目名】全文
【補正方法】変更
【補正の内容】
【特許請求の範囲】
【請求項１】
第１の対の互いに反対方向に回転するローラと、
前記第１の対の互いに反対方向に回転するローラ間に画定され、上流側および下流側を有する第１のニップと、
前記第１の対の互いに反対方向に回転するローラに隣接して配置される第２の対の互いに反対方向に回転するローラと、
前記第２の対の互いに反対方向に回転するローラ間に画定され、上流側および下流側を有する第２のニップと、
前記第１の対の互いに反対方向に回転するローラのうちの少なくとも一方、および前記第２の対の互いに反対方向に回転するローラのうちの少なくとも一方を覆う流体源と、
前記第１の対の互いに反対方向に回転するローラのうちの少なくとも一方、および前記第２の対の互いに反対方向に回転するローラのうちの少なくとも一方を駆動させて、流体が前記第１のニップの前記上流側から前記第１のニップの前記下流側に、かつ前記第２のニップの前記上流側から前記第２のニップの前記下流側に引き込まれるよう構成される駆動要素と、を含み、
第１の流体フィラメントが、前記第１のニップの前記下流側の前記第１の対の互いに反対方向に回転するローラの分岐面間で引き伸ばされ、最終的に前記第１の流体フィラメントが、千切れて複数の第１の小滴となり、
第２の流体フィラメントが、前記第２のニップの前記下流側の前記第２の対の互いに反対方向に回転するローラの分岐面間で引き伸ばされ、最終的に前記第２の流体フィラメントが、千切れて複数の第２の小滴となる、エローゾル生成システム。
【請求項２】
前記第１の対の互いに反対方向に回転するローラ、および前記第２の対の互いに反対方向に回転するローラが円形構成で配置される、請求項１に記載のエローゾル生成システム。
【請求項３】
前記第１の一対の互いに反対方向に回転するローラと、前記第２の対の反対方向に回転するローラとの間に円形構成で配置される第３の対の互いに反対方向に回転するローラと、前記第３の対の互いに反対方向に回転するローラ間に画定され、上流側および下流側を有する第３のニップと、をさらに含む請求項１に記載のエローゾル生成システム。
【請求項４】
前記第１の対の互いに反対方向に回転するローラ、前記第２の対の互いに反対方向に回転するローラ、および前記第３の対の互いに反対方向に回転するローラの前記円形構成により、中央内部空間および外径が画定される、請求項３に記載のエローゾル生成システム。
【請求項５】
前記流体源が前記中央内部空間内に配置されて、前記第１のローラの前記少なくとも一方、前記第２のローラの前記少なくとも一方、および前記第３のローラの前記少なくとも一方を前記中央内部空間からの前記流体で覆い、前記複数の第１の小滴、前記複数の第２の小滴、複数の第３の小滴が、前記外径から離れる方向に千切られる、請求項４に記載のエローゾル生成システム。
【請求項６】
前記流体源が前記円形構成の前記外径に沿って配置されて、前記第１のローラの前記少なくとも一方、前記第２のローラの前記少なくとも一方、および前記第３のローラの前記少なくとも一方を前記外径沿いからの前記流体で覆い、前記複数の第１の小滴、前記複数の第２の小滴、および前記複数の第３の小滴が、前記中央内部空間に向かう方向に千切られる、請求項４に記載のエローゾル生成システム。
【請求項７】
前記流体源が前記第３の対の互いに反対方向に回転するローラのうちの少なくとも一方を覆い、また、流体が前記第３のニップの前記上流側から前記第３のニップの前記下流側に引き込まれるようにして、第３の流体フィラメントが、前記第３の対の互いに反対方向に回転するローラの分岐面間で引き伸ばされ、最終的に前記流体が、千切れて複数の第３の小滴となるように、前記駆動要素が前記第３の対の互いに反対方向に回転するローラのうちの少なくとも一方を駆動するように構成される、請求項３に記載のエローゾル生成システム。
【請求項８】
前記第１の対の互いに反対方向に回転するローラの前記分岐面と、前記第２の対の互いに反対方向に回転するローラの前記分岐面とが互いに物理的に接触する、請求項１に記載のエローゾル生成システム。
【請求項９】
前記流体で覆われた前記少なくとも一方の第１のローラ上を覆う前記流体の厚さを制御するよう構成される第１の調量ブレードと、前記流体で覆われた前記少なくとも一方の第２のローラを覆う前記流体の厚さを制御するよう構成される第２の調量ブレードと、をさらに含む、請求項１に記載のエローゾル生成システム。
【請求項１０】
前記第１の対の互いに反対方向に回転するローラ、および前記第２の対の互いに反対方向に回転するローラが軸の内部空間内に配置される、請求項１に記載のエローゾル生成システム。
【請求項１１】
前記第１のニップの前記上流側および前記第２のニップの前記上流側の内部空間圧力が、前記第１のニップの前記下流側および前記第２のニップの前記下流側の圧力よりも高くなるよう、前記軸の内部空間が加圧される、請求項１０に記載のエローゾル生成システム。
【請求項１２】
前記第１の対の互いに反対方向に回転するローラ、および前記第２の対の互いに反対方向に回転するローラが、前記軸の前記内部空間内に円形構成で配置され、さらに、前記内部空間内に配置された中央スペーサであって、前記第１の対の互いに反対方向に回転するローラおよび前記第２の対の互いに反対方向に回転するローラを、該中央スペーサと前記軸の内面との間に固定する前記中央スペーサを含む、請求項１０に記載のエローゾル生成システム。
【請求項１３】
前記流体源が、前記第１の対の互いに反対方向に回転するローラの両方、および前記第２の対の互いに反対方向に回転するローラの両方を前記流体で覆うよう構成される、請求項１に記載のエローゾル生成システム。
【請求項１４】
前記複数の第１の小滴、および前記複数の第２の小滴を回収する回収要素をさらに含む請求項１に記載のエローゾル生成システム。
【請求項１５】
エローゾル生成方法であって、
流体を流体源から第１のニップに引き込む工程であって、前記第１のニップは第１の対の互いに反対方向に回転するローラ間に画定され、該第１のニップは上流側および下流側を有する、前記工程と、
前記流体を前記流体源から第２のニップに引き込む工程であって、前記第２のニップは前記第１の対の互いに反対方向に回転するローラに隣接して円形構成で配置される第２の対の互いに反対方向に回転するローラ間に画定され、該第２のニップは上流側および下流側を有する、前記工程と、
前記流体を、前記第１のニップの前記下流側の前記第１の対の互いに反対方向に回転するローラの分岐面間で引き伸ばして、前記第１の対の互いに反対方向に回転するローラの分岐面間に第１の流体フィラメントを形成する工程と、
前記流体を、前記第２のニップの前記下流側の前記第２の対の互いに反対方向に回転するローラの分岐面間で引き伸ばして、第２の流体フィラメントを形成する工程と、
前記第１の流体フィラメントが、千切れて複数の第１の小滴となるようにする工程と、
前記第２の流体フィラメントが、千切れて複数の第２の小滴となるようにする工程と、
を含む、前記エローゾル生成方法。
【請求項１６】
前記第１の対の互いに反対方向に回転するローラ、および前記第２の対の互いに反対方向に回転するローラの前記円形構成により、中央内部空間および外径が画定され、
前記第１の小滴、および前記第２の小滴が、前記中央内部空間に向かう方向に千切られるようにする工程、
をさらに含む、請求項１５に記載のエローゾル生成方法。
【請求項１７】
前記第１の対の互いに反対方向に回転するローラ、および前記第２の対の互いに反対方向に回転するローラの前記円形構成により、中央内部空間および外径が画定され、
前記第１の小滴、および前記第２の小滴が、前記外径から離れる方向に千切られるようにする工程、
をさらに含む、請求項１５に記載のエローゾル生成方法。
【請求項１８】
前記第１の対の互いに反対方向に回転するローラ、および前記第２の対の互いに反対方向に回転するローラの前記円形構成により、中央内部空間および外径が画定され、
前記中央内部空間および前記外径の少なくとも一方を加圧して、前記流体を前記流体源から前記第１のニップに引き込むようにし、また前記流体を前記流体源から前記第２のニップに引き込むようにする工程、
をさらに含む、請求項１５に記載のエローゾル生成方法。
【請求項１９】
前記流体を前記流体源から前記第１のニップに引き込むようにする前記工程が、前記第１の対の互いに反対方向に回転するローラの少なくとも一方を前記流体で覆い、また前記第１の対の互いに反対方向に回転するローラの反対方向の回転により前記流体を前記第１のニップに引き込むようにする工程を含み、
前記少なくとも一方の前記第１の対の互いに反対方向に回転するローラ上を覆う前記流体の被覆の厚さを第１の調量ブレードで制御する工程、
をさらに含む、請求項１５に記載のエローゾル生成方法。
【請求項２０】
前記流体を前記流体源から前記第２のニップに引き込むようにする前記工程が、前記第２の対の互いに反対方向に回転するローラの少なくとも一方を前記流体で覆い、また前記第２の対の互いに反対方向に回転するローラの反対方向の回転により前記流体を前記第２のニップに引き込むようにする工程を含み、
前記少なくとも一方の前記第１の対の互いに反対方向に回転するローラ上を覆う前記流体の被覆の厚さを第２の調量ブレードで制御する工程、
をさらに含む、請求項１９に記載のエローゾル生成方法。